(57)【要約】【課題】２つある吐出口のうち、一方の吐出口から流体を吐出させる方向へ羽根部材が回転した場合には、他方の吐出口から前記流体がポンプハウジング外に吐出されることを、当該他方の吐出口近傍の吐出圧領域を吸入圧領域に連通させることにより確実に防止できるポンプを提供する。【解決手段】ハウジング２９内において、吸入口３７の近傍に形成された吸入圧領域３８と第２吐出口４０の近傍に形成された吐出圧領域４２とは、溝部４４を介して連通されている。そして、羽根部材３５が回転した場合、前記溝部４４の中途には、吸入圧と吐出圧とが相殺されて圧力が生じない部分が形成されることになる。そのため、前記羽根部材３５がＡ方向に回転した場合、ハウジング２９内の洗浄水（流体）は各羽根部４８により積極的に第２吐出口４０側に誘導されないため、当該洗浄水が第２吐出口４０からポンプＰの外部に吐水されることを防止できる。【選択図】      図５
2005307787.tif 000002
【特許請求の範囲】
【請求項１】
ポンプハウジング内に所定軸線周りで正逆両方向に回転可能な羽根部材が収容され、前記ポンプハウジングには、前記羽根部材の回転に基づきポンプハウジング外からポンプハウジング内に流体を吸入するための吸入口と、前記吸入口からポンプハウジング内に吸入した流体を前記羽根部材の回転方向と同一方向へ流動させるための流体通路と、前記羽根部材が正逆両方向のうち何れか一方の方向に回転した場合に前記流体通路内から前記ポンプハウジング外に流体を吐出するための第１吐出口と、前記羽根部材が他方の方向に回転した場合に前記流体通路内から前記ポンプハウジング外に流体を吐出するための第２吐出口とが夫々設けられてなるポンプにおいて、
前記ポンプハウジングには、前記第１吐出口近傍及び前記第２吐出口近傍に形成される各吐出圧領域のうち少なくとも何れか一方の吐出圧領域と前記吸入口近傍に形成される吸入圧領域との間を連通する連通路を設けたポンプ。
【請求項２】
前記吸入口は、前記羽根部材の回転中心となる前記軸線上の位置において前記羽根部材の吸入口側に前記吸入圧領域が形成されるように設けられ、前記第１吐出口及び前記第２吐出口は、前記軸線方向から見た場合に前記吸入圧領域の内側となる領域に前記各吐出圧領域の少なくとも一部が夫々形成される位置に設けられている請求項１に記載のポンプ。
【請求項３】
前記連通路は、前記ポンプハウジングの内面に形成された溝部により構成されている請求項２に記載のポンプ。
【請求項４】
前記流体通路は、前記溝部を一部に含んで構成される通路部分を有しており、当該通路部分は、前記第１吐出口及び第２吐出口のうち当該通路部分が直近で連絡する吐出口へ前記羽根部材側から前記吸入圧領域の一部を通過して連絡するように設けられている請求項３に記載のポンプ。
【発明の詳細な説明】
【技術分野】
【０００１】
本発明は、例えば食器洗い機等に設けられるポンプに関するものである。
【背景技術】
【０００２】
従来より、食器洗い機のポンプ室内に配置され、且つ食器の洗浄時や洗浄水の排水時に用いられるポンプとして例えば特許文献１に記載の食器洗い機用ポンプ（以下、「ポンプ」と示す）が提案されている。このポンプは、ポンプハウジング（ポンプケーシング）を備え、当該ポンプハウジング内には、モータの回転駆動に基づき正逆両方向へ回転可能な羽根部材（羽根車）が設けられている。前記ポンプハウジングには、当該ポンプハウジング内に洗浄水を吸水するための吸水口（吸込み口）と、ポンプハウジング内の洗浄水を食器洗い機の洗浄室側に吐水（噴射供給）するための循環吐出口と、ポンプハウジング内の洗浄水を食器洗い機の外部に吐水（排水）するための排水吐出口とが形成されている。
【０００３】
また、ポンプハウジングの内部には、前記循環吐出口と排水吐出口との間において、ポンプハウジング内を流動する洗浄水の流体力によって、回転軸（切換弁回転軸）を中心に回動する切換弁が設けられている。この切換弁は、その回動時に、前記両吐出口のうち何れか一方の吐出口を閉塞すると共に、他方の吐出口を開放することで、前記洗浄水の吐出方向を切換可能とされている。
【０００４】
即ち、食器を洗浄するために羽根部材が一方向（例えば正方向）に回転した場合には、ポンプハウジング内に吸水された洗浄水が当該ポンプハウジング内の側面に沿って羽根部材の回転方向と同一方向（正方向）に流動し、その流体力によって前記切換弁が前記排水吐出口を閉塞するようになっている。そのため、前記洗浄水は循環吐出口を介して洗浄室内に供給（噴射供給）されることになる。一方、洗浄水を排水するために羽根部材が他方向（例えば逆方向）に回転した場合には、ポンプハウジング内に吸水された洗浄水が当該ポンプハウジング内の側面に沿って羽根部材の回転方向と同一方向（逆方向）に流動し、その流体力によって切換弁が前記循環吐出口を閉塞するようになっている。そのため、前記洗浄水は排水吐出口を介して食器洗い機の外部に排水されることになる。
【特許文献１】特開２００３−２８４６６６号公報（請求項６、段落番号［００１３］〜［００１５］、図２）
【発明の開示】
【発明が解決しようとする課題】
【０００５】
ところが、特許文献１に記載のポンプの場合には以下のような問題がある。即ち、このポンプでは、食器の洗浄時には排水吐出口を、洗浄水の排水時には洗浄吐出口を閉塞するための切換弁が必ず必要になる。そして、ポンプ内に吸水される洗浄水には、食器等に付着した汚れやゴミ等が含まれているため、洗浄水に含まれている汚れやゴミ等が切換弁（特に回転軸付近）に付着した場合、切換弁が回動不能となり循環吐出口及び排水吐出口が閉塞されなくなる可能性があった。特に、食器の洗浄時に洗浄水が排水吐出口を介して外部に吐出されると、洗浄室内に供給（噴射供給）される洗浄水の水量が低下するという問題があった。即ち、ポンプの本来の性能を発揮できなくなる可能性があった。
【０００６】
本発明は、このような事情に鑑みてなされたものである。その目的は、２つある吐出口のうち、一方の吐出口から流体を吐出させる方向へ羽根部材が回転した場合には、他方の吐出口から前記流体がポンプハウジング外に吐出されることを、当該他方の吐出口近傍の吐出圧領域を吸入圧領域に連通させることによりポンプハウジング外に吐出されることを確実に防止できるポンプを提供することにある。
【課題を解決するための手段】
【０００７】
上記目的を達成するために、請求項１に記載の発明は、ポンプハウジング内に所定軸線周りで正逆両方向に回転可能な羽根部材が収容され、前記ポンプハウジングには、前記羽根部材の回転に基づきポンプハウジング外からポンプハウジング内に流体を吸入するための吸入口と、前記吸入口からポンプハウジング内に吸入した流体を前記羽根部材の回転方向と同一方向へ流動させるための流体通路と、前記羽根部材が正逆両方向のうち何れか一方の方向に回転した場合に前記流体通路内から前記ポンプハウジング外に流体を吐出するための第１吐出口と、前記羽根部材が他方の方向に回転した場合に前記流体通路内から前記ポンプハウジング外に流体を吐出するための第２吐出口とが夫々設けられてなるポンプにおいて、前記ポンプハウジングには、前記第１吐出口近傍及び前記第２吐出口近傍に形成される各吐出圧領域のうち少なくとも何れか一方の吐出圧領域と前記吸入口近傍に形成される吸入圧領域との間を連通する連通路を設けたことを要旨としている。
【０００８】
請求項２に記載の発明は、請求項１に記載のポンプにおいて、前記吸入口は、前記羽根部材の回転中心となる前記軸線上の位置において前記羽根部材の吸入口側に前記吸入圧領域が形成されるように設けられ、前記第１吐出口及び前記第２吐出口は、前記軸線方向から見た場合に前記吸入圧領域の内側となる領域に前記各吐出圧領域の少なくとも一部が夫々形成される位置に設けられていることを要旨としている。
【０００９】
請求項３に記載の発明は、請求項２に記載のポンプにおいて、前記連通路は、前記ポンプハウジングの内面に形成された溝部により構成されていることを要旨としている。
請求項４に記載の発明は、請求項３に記載のポンプにおいて、前記流体通路は、前記溝部を一部に含んで構成される通路部分を有しており、当該通路部分は、前記第１吐出口及び第２吐出口のうち当該通路部分が直近で連絡する吐出口へ前記羽根部材側から前記吸入圧領域の一部を通過して連絡するように設けられていることを要旨としている。
【発明の効果】
【００１０】
本発明によれば、２つある吐出口のうち、一方の吐出口から流体を吐出させる方向へ羽根部材が回転した場合には、他方の吐出口から前記流体がポンプハウジング外に吐出されることを、当該他方の吐出口近傍の吐出圧領域を吸入圧領域に連通させることにより確実に防止できる。
【発明を実施するための最良の形態】
【００１１】
以下、本発明を食器洗い機のポンプに具体化した一実施形態を図１〜図６に従って説明する。
図１に示すように、本実施形態の食器洗い機１０は、機本体１１内に、食器Ｄを洗浄する洗浄室１２と当該洗浄室１２の下方に位置するポンプ室１３とを備えている。前記洗浄室１２とポンプ室１３とは、機本体１１内の内部スペース１４を仕切り板１５で上下に仕切ることにより区画形成されている。なお、以下における本明細書中の説明において、「上下左右方向」は図１における上下左右方向を示すものとする。
【００１２】
前記洗浄室１２には、食器Ｄを配置するための食器籠１６が収容され、当該食器籠１６は、水平方向（図１では左右方向）に延びるレール１７上にスライド移動可能に戴置されている。また、洗浄室１２の下部には、食器Ｄを洗浄する際に洗浄水（流体）を洗浄室１２内に噴射するためのノズル１８が回転可能な態様で配設されている。このノズル１８の上面には、複数の孔（図示略）が形成されており、当該ノズル１８の下面側からは、前記仕切り板１５を貫通形成してポンプ室１３内まで延びるように洗浄管路１９が設けられている。この洗浄管路１９は、ノズル１８の内部空間（図示略）を介して前記ノズル１８上面の各孔と繋がっている。そのため、洗浄室１２内の食器Ｄを洗浄する際には、洗浄管路１９を介してポンプ室１３側から供給された洗浄水が前記ノズル１８上面の各孔から洗浄室１２内に噴射されるようになっている。
【００１３】
また、前記洗浄室１２の左側には、機本体１１の側壁の一部を構成すると共に、機本体１１に対して開閉可能に形成された開閉扉２０が設けられている。そして、この開閉扉２０は、食器Ｄを洗浄室１２内の食器籠１６に配置する際や洗浄後に食器Ｄを洗浄室１２から外部へ取り出す際等に開放され、それら以外の時には閉じられるようになっている。また、洗浄室１２の右側には、所定容量の洗浄水を機本体１１の外部から洗浄室１２内に注入するための注入通路２１が形成されている。また、洗浄室１２の底部には、当該洗浄室１２から洗浄水をポンプ室１３に流下させて吸入するための吸入口２２が設けられており、当該吸入口２２には、食器Ｄに付着した残飯等が洗浄水と共にポンプ室１３に吸入されないようにするべく、当該残飯等を取り除くフィルタＦが配設されている。
【００１４】
一方、前記ポンプ室１３には、前記洗浄室１２から吸入口２２を介して流下する洗浄水を貯留するための貯留槽２３が設けられている。また、当該貯留槽２３の側方（図１における右側）にはポンプＰが収容配置されており、当該ポンプＰは吸水管路２４を介して前記貯留槽２３と連結されている。そのため、貯留槽２３内に一旦貯留された洗浄水は、吸水管路２４を介してポンプＰ内に水平方向から吸水されることになる。そして、洗浄室１２内の食器Ｄを洗浄する場合には、前記ポンプＰの駆動に基づきポンプＰ内から洗浄水が前記洗浄管路１９を介して前記ノズル１８に供給され、当該ノズル１８上面の各孔から洗浄室１２内に噴射される。一方、前記洗浄水を排水する場合には、前記ポンプＰの駆動に基づきポンプＰ内から洗浄水が排水管路２５に導出され、機本体１１外に排水される。
【００１５】
次に、前記ポンプＰの具体的構成について説明する。
前記ポンプＰは、図２に示すように、モータ部２６とポンプ部２７から構成されている。モータ部２６は、電気配線Ｅを介して図示しない電源に接続されたモータ（例えば直流モータ等）Ｍを備えてなり、当該モータＭの内部には、回転子及び固定子（共に図示略）が配設されている。前記回転子には、モータ部２６（モータＭ）の内部からポンプ部２７内まで延びるシャフト２８が固着されている。そして、本実施形態では、モータＭの固定子に供給される電流の方向に対応して、前記回転子がシャフト２８と共に該シャフト２８の軸線（所定軸線）Ｓを回転中心にして正逆両方向に回転可能な構成とされている。
【００１６】
一方、ポンプ部２７は、一端側（図１では右側、図２では左側）が開口した略有底円筒形状のポンプハウジング（以下、「ハウジング」と示す）２９と、当該ハウジング２９の開口部を閉塞可能に形成されたポンプブラケット（以下、「ブラケット」と示す）３０と、前記モータ部２６側との接合部材となる取付板３１とを備えている。前記ハウジング２９、ブラケット３０及び取付板３１は、前記ブラケット３０を中央にして複数本（本実施形態では５本）のネジ３２により一体組み付けされるものであり、その一体組み付け状態において前記取付板３１がモータＭにネジ３３にて接合固定されることにより、ポンプ部２７はモータ部２６に一体結合されている。
【００１７】
前記ブラケット３０及び取付板３１には、前記シャフト２８を挿通可能な貫通孔３０ａ，３１ａが形成されており、前記ポンプ部２７がモータ部２６に一体結合された状態では、モータ部２６側から延びた前記シャフト２８が取付板３１の貫通孔３１ａとブラケット３０の貫通孔３０ａを挿通してハウジング２９内まで突出するように構成されている。そして、前記取付板３１とブラケット３０との間において前記シャフト２８の周面にはリング形状をなす複数（本実施形態では２つ）のオイルシール３４が介装されるようになっている。
【００１８】
また、前記ハウジング２９内において前記シャフト２８の先端には羽根部材（ポンプ用羽根車）３５が固定支持されるようになっている。即ち、前記モータＭの回転駆動に基づき前記シャフト２８が回転した場合には、当該シャフト２８と共に前記軸線Ｓ周りで羽根部材３５が一体回転するように構成されている。また、前記ポンプ部２７の一体組み付け状態においてハウジング２９とブラケット３０との間にはＯリング３６が介在され、ハウジング２９内からの洗浄水の漏出防止が図られている。
【００１９】
図３（ａ）（ｂ）に示すように、前記ハウジング２９は、その底壁部２９ａに、前記吸水管路２４に対する連結部位となって貯留槽２３から前記羽根部材３５の回転に基づきハウジング２９内に洗浄水を吸入するための吸入口３７が設けられている。この吸入口３７は、前記底壁部２９ａにおいて前記羽根部材３５の回転中心となる前記軸線Ｓ上の位置に設けられており、ハウジング２９内に前記軸線Ｓに沿って洗浄水を吸入するように、当該軸線Ｓに沿う方向へ突出形成されている。そのため、前記羽根部材３５が回転した際には、図４及び図５に二点鎖線で示すように、前記吸入口３７近傍であり且つ羽根部材３５の前面側（即ち、吸入口３７側）となる領域に前記羽根部材３５の外周縁の回動軌跡と略同形状をなす負圧雰囲気の吸入圧領域３８が形成されることになる。
【００２０】
また、前記ハウジング２９は、その周壁部２９ｂに、前記洗浄管路１９に対する連結部位となる第１吐出口３９と、前記排水管路２５に対する連結部位となる第２吐出口４０が設けられており、これらの吐出口３９，４０を介して羽根部材３５の回転に基づき前記洗浄水をハウジング２９外へ吐出するようになっている。そのため、前記羽根部材３５が回転した際には、図３〜図５に二点鎖線で示すように、前記ハウジング２９内における第１吐出口３９近傍及び第２吐出口４０近傍に各吐出口３９，４０の開口形状と略同形状で前記負圧雰囲気の吸入圧領域３８よりも高圧雰囲気の吐出圧領域４１，４２が夫々形成されることになる。
【００２１】
ここで、第２吐出口４０は、第１吐出口３９から見て前記周壁部２９ｂの周方向へ所定角度（本実施形態では図３及び図４から理解されるように略９０度）だけ離間した位置に設けられている。また、前記軸線Ｓに沿う方向においては、第１吐出口３９が前記吸入圧領域３８よりも羽根部材３５側に設けられる一方、第２吐出口４０が前記吸入圧領域３８よりも吸入口３７側に設けられている。また、前記吸入口３７側（即ち、軸線Ｓ方向）から見た場合には、第１吐出口３９及び第２吐出口４０共に、前記各吐出圧領域４１，４２の一部が前記吸入圧領域３８よりも内側となる領域に形成される位置に設けられており、それぞれ前記軸線Ｓと直交する方向へ突出形成されている。
【００２２】
また、前記ハウジング２９内には、当該ハウジング２９内において洗浄水を羽根部材３５の回転方向と同一方向へ流動させるための流体通路４３が前記周壁部２９ｂの内周面に沿うように円弧状に形成されている。この流体通路４３は、羽根部材３５の回転に基づき吸入口３７からハウジング２９内に吸入され且つ遠心力で周壁部２９ｂ側に流動させられた洗浄水を、前記第１吐出口３９及び第２吐出口４０へと導水（誘導）するものであり、図３（ｂ）に示すように、前記第２吐出口４０に連絡する通路部分４３ａには溝部４４が形成されている。即ち、この溝部４４は、前記流体通路４３のうち前記第２吐出口４０に対して直近で連絡する部分となる前記通路部分４３ａにおいて、流体通路４３の一部を構成している。
【００２３】
そして、前記流体通路４３は、前記通路部分４３ａにおいて、前記軸線Ｓに沿う方向で吸入圧領域３８よりも吸入口３７側に位置する第２吐出口４０に連なるように、羽根部材３５側から見た場合の通路深さが、第２吐出口４０に近付くにつれて次第に深くなるように形成されている。また、前記通路部分４３ａでは、前記吸入圧領域３８よりも内側となる領域に吐出圧領域４２が形成される位置に設けられた第２吐出口４０に流体通路４３を連絡するように、羽根部材３５側から見た場合の通路幅が、第２吐出口４０に近付くにつれて次第に内周方向へ幅広となるように形成されている。即ち、前記流体通路４３は、前記通路部分４３ａ（溝部４４）において、前記羽根部材３５側から前記吸入圧領域３８の一部を通過して前記第２吐出口４０へ連絡する構成とされている。即ち、前記溝部は、吸入圧領域３８と吐出圧領域４２との間を連通する連通路として機能するようになっている。
【００２４】
そして、図４に示すように、前記羽根部材３５が正逆両方向のうち何れか一方の方向（本実施形態ではＡ矢印方向）へ回転した場合には、前記吸入口３７からハウジング２９の流体通路４３内に吸入された洗浄水が第１吐出口３９から洗浄管路１９側に吐出され、当該洗浄管路１９を介して洗浄室１２内に給水されるようになっている。一方、前記羽根部材３５が正逆両方向のうち何れか他方の方向（本実施形態ではＢ矢印方向）へ回転した場合には、前記吸入口３７からハウジング２９の流体通路４３内に吸入された洗浄水が前記通路部分４３ａを通って第２吐出口４０から排水管路２５側に吐出され、当該排水管路２５を介して機本体１１の外部に排水されるようになっている。
【００２５】
また、前記ハウジング２９の周壁部２９ｂのうち周方向において前記第１吐出口３９と第２吐出口４０の間となる部分は、その内面が前記羽根部材３５の外周縁に近接するように、周壁部２９ｂの壁厚が内周側へ厚く形成された誘導規制部４５とされている。即ち、この部分では前記流体通路４３が羽根部材３５の回転を許容するだけの挟い隙間４３ｂとなるように構成されている。そのため、羽根部材３５が前記Ａ矢印方向へ回転した場合、前記流体通路４３に沿って第１吐出口３９側へと導水（誘導）された洗浄水は、前記誘導規制部４５により第２吐出口４０側へと更に導水されるのを阻止されることになる。一方、羽根部材３５がＢ矢印方向へ回転した場合には、前記流体通路４３に沿って第２吐出口４０側へと導水（誘導）された洗浄水が、同様に前記誘導規制部４５によって第１吐出口３９側へと更に導水されるのを阻止されることになる。
【００２６】
ここで、本実施形態における羽根部材３５の構成について以下に詳しく説明する。即ち、羽根部材３５は、図６（ａ）に示すように、略円盤形状をなす円盤部４６と、当該円盤部４６の中央付近に形成されたハブ部４７と、当該ハブ部４７の外周面４７ａから外周方向に延びる複数枚（本実施形態では６枚）の羽根部４８とから構成されている。そして、ハブ部４７の略中央には貫通孔４７ｂが形成されており、前記羽根部材３５は、当該貫通孔４７ｂに前記シャフト２８が嵌合されることにより、シャフト２８に固定支持されるようになっている。そのため、羽根部材３５は、モータＭの回転駆動に基づき、前記シャフト２８と共に当該シャフト２８の軸線Ｓ周りを正逆両方向に回転可能とされている。
【００２７】
ところで、羽根部材３５が図６（ｂ）に示す比較例の羽根部材８０のように構成されていると、次のような問題が発生する。即ち、この比較例の羽根部材８０は、略円盤形状をなす円盤部８１と、当該円盤部８１の中央付近に形成されたハブ部８２と、当該ハブ部８２の外周面８２ａから外周に延びる６枚の羽根部８３とから構成されている。各羽根部８３は、軸線（回転軸線）Ｓ側から外周方向に延びるにつれて、Ａ方向に回転した場合に回転方向に対して前面となる一方側面８４が次第に後方（即ち、Ｂ方向）側に傾斜する曲面状に形成されている。また、前記各羽根部８３は、Ｂ方向に回転した場合に回転方向に対して前面となる他方側面８５が軸線Ｓ側から外周方向に延びるにつれて次第に前方（即ち、Ｂ方向）側に傾斜する曲面状に形成されている。
【００２８】
そのため、前記羽根部材８０がＡ方向に回転した場合（即ち、食器Ｄの洗浄行程の場合）には、前記各羽根部８３における一方側面８４（特に一方側面８４の外周側）が外方に向いているため、羽根部材８０の回転に基づき発生する遠心力を隣り合う各羽根部８３の間に介在する洗浄水に効率良く伝えることができる。しかし、前記羽根部材８０がＢ方向に回転した場合（即ち、洗浄水の排水行程の場合）には、前記各羽根部８３における他方側面８５の一部（特に他方側面８５の外周側）が内方を向いてしまっているため、前記洗浄水に遠心力を効率良く伝達しにくいという問題がある。即ち、比較例の羽根部材８０では、ポンプＰの回転駆動力を十分に活用できないという問題があった。
【００２９】
このような問題を解決するために、本実施形態の羽根部材３５は、次のような特徴的な構成とされている。即ち、前記各羽根部４８には、Ａ方向に回転した場合に回転方向に対して前面となる一方側面４９と、Ｂ方向に回転した場合に回転方向に対して前面となる他方側面５０が夫々形成されている。前記各一方側面４９は、前記軸線Ｓから外周方向に向けて次第に回転方向のＢ方向側に傾斜する曲面状に形成されている。そのため、本実施形態の羽根部材３５は、Ａ方向に回転した場合（即ち、食器Ｄの洗浄行程の場合）には比較例の羽根部材８０と同様に効率良く各羽根部４８の回転に基づく遠心力を隣り合う各羽根部４８の間に介在する洗浄水に伝達できる。即ち、前記洗浄水を効率良くポンプＰの外部（本実施形態では前記洗浄室１２側）に吐水（供給）できるようになっている。
【００３０】
その一方、前記各羽根部４８の他方側面５０は、当該各他方側面５０のうち前記軸線Ｓ側から中途までの基端側部位５０ａが、軸線Ｓから外周方向に向けて次第に回転方向のＢ方向側に傾斜する曲面状に形成されている一方で、前記中途から先端（外周側）までの先端側部位５０ｂが、軸線Ｓから放射状をなす平面状に形成されている。そのため、本実施形態の羽根部材３５は、Ｂ方向に回転した場合（即ち、洗浄水の排水行程の場合）には、比較例の羽根部材８０と比較して各羽根部４８の回転に基づく遠心力を効率良く隣り合う各羽根部４８の間に介在する洗浄水に伝達することができる。従って、本実施形態の羽根部材３５（他方側面４６）は、比較例の羽根部材８０（他方側面８３）よりも前記洗浄水を効率良くポンプＰの外部（本実施形態では機本体１１の外部側）に吐水（吐出）できるようになっている。
【００３１】
次に、以上のように構成された本実施形態における食器洗い機１０におけるポンプＰの作用について以下説明する。
まず、モータＭの回転駆動に基づき羽根部材３５がＡ方向に回転すると、吸入口３７の近傍には吸入圧領域３８が形成されると共に、第１吐出口３９の近傍には吐出圧領域４１が、また、第２吐出口４０の近傍には吐出圧領域４２が夫々形成される。そして、貯留槽２３に貯留された洗浄水は、貯留槽２３から吸水管路２４を流動して吸入口３７を介してポンプＰのハウジング２９内に吸水される。すると、前記洗浄水は、羽根部材３５の各羽根部４８（一方側面４９）により流体通路４３に導水され、当該流体通路４３を羽根部材３５の回転方向と同一方向（Ａ方向）に流動する。そして、前記第１吐出口３９近傍（吐出圧領域４１）まで流動した洗浄水は、当該吐出圧領域４１における吐出圧により第１吐出口３９からポンプＰ外（洗浄管路１９）に吐水される。
【００３２】
この際において、ハウジング２９の周壁部２９ｂには、誘導規制部４５が形成されている。そのため、ハウジング２９内を流体通路４３に沿って第１吐出口３９側へ導水ガイドされた洗浄水は、誘導規制部４５を越えて第２吐出口４０に導水ガイドされることはない。また、前記吸入圧領域３８と前記第２吐出口４０の吐出圧領域４２とは、溝部４４を介して連通しており、当該溝部４４の中途（即ち、吸入圧領域３８と吐出圧領域４２との境界部分）には、吸入圧と吐出圧とが相殺されて圧力が生じない部分が形成される。従って、羽根部材３５がＡ方向に回転した場合、ハウジング２９内の洗浄水は、積極的に第２吐出口４０近傍に導水ガイドされないことから、流体通路４３を第２吐出口４０近傍まで流動したとしても溝部４４から再び吸入圧領域３８に導水される。そのため、前記洗浄水は、第２吐出口４０からポンプＰの外部に吐水されない。たとえ前記洗浄水の一部が第２吐出口４０からポンプＰの外部（排水管路２５）に吐水されたとしても、当該洗浄水は、機本体１１に設けられた排水口がポンプＰよりも高い位置（本実施形態では略３０センチメートル高い位置）に設けられているため、機本体１１の外部に排水されることはない。
【００３３】
一方、モータＭの回転駆動に基づき羽根部材３５がＢ方向に回転した場合にも、吸入口３７の近傍には吸入圧領域３８が形成されると共に、第１吐出口３９の近傍には吐出圧領域４１が、また第２吐出口４０の近傍には吐出圧領域４２が夫々形成される。そして、貯留槽２３に貯留された洗浄水は、貯留槽２３から吸水管路２４を流動して吸入口３７を介してポンプＰのハウジング２９内に吸水される。すると、前記洗浄水は、羽根部材３５の各羽根部４８（他方側面５０）により流体通路４３に導水され、当該流体通路４３を羽根部材３５の回転方向と同一方向（Ｂ方向）に流動する。そして、前記溝部４４を流動して前記第２吐出口４０近傍（吐出圧領域４２）まで流動した洗浄水は、当該吐出圧領域４２における吐出圧により第２吐出口４０からポンプＰ外（排水管路２５）に吐水される。なお、この際においても、前記洗浄水は、前記誘導規制部４５を越えて第１吐出口３９に導水ガイドされることはない。
【００３４】
従って、本実施形態では、以下に示す効果を得ることができる。
（１）羽根部材３５が回転した場合、ハウジング２９内においては、吸入口３７の近傍に形成された吸入圧領域３８と第２吐出口４０の近傍に形成された吐出圧領域４２とが溝部（連通路）４４を介して連通され、当該溝部４４の中途には、吸入圧と吐出圧とが相殺されて圧力が生じない部分が形成されることになる。そのため、前記羽根部材３５がＡ方向（一方）に回転した場合、流体通路４３を流動する洗浄水（流体）は、各羽根部４８により積極的に第２吐出口４０側に誘導されないため、当該溝部４４から再び吸入圧領域３８に導水される。従って、羽根部材３５がＡ方向に回転した場合、ハウジング２９内に吸水された洗浄水を効率良く第１吐出口３９からのみポンプＰの外部（洗浄室１２側）に吐出できる。
【００３５】
一方、羽根部材３５がＢ方向（他方）に回転した場合、ハウジング２９内に吸水された洗浄水は、各羽根部４８により積極的に第２吐出口４０側に誘導されるため、流体通路４３を流動し第２吐出口４０からポンプＰの外部（機本体１１の外部）に吐出（排水）される。この場合、前記洗浄水の一部は、第１吐出口３９側の吐出圧領域４１に流動し、当該第１吐出口３９からポンプＰの外部（洗浄室１２側）に吐出されることになる。しかし、洗浄室１２内に吐出（供給）された洗浄水は、貯留槽２３に案内され再びハウジング２９内に吸水されるため、最終的には第２吐出口４０からポンプＰの外部に吐出される。従って、２つある吐出口３９，４０のうち、第１吐出口３９からハウジング２９内の洗浄水を吐出させる方向へ羽根部材３５が回転した場合には、第２吐出口４０から前記洗浄水がハウジング２９外に吐出されることを、当該第２吐出口４０近傍の吐出圧領域４２を吸入圧領域３８に連通させることにより確実に防止できる。
【００３６】
（２）前記吸入口３７は、軸線Ｓ上の位置において羽根部材３５の吸入口３７側に吸入圧領域３８が形成されるように設けられ、第２吐出口４０は、軸線Ｓ方向から見た場合に前記吸入圧領域３８の内側となる領域に吐出圧領域４２の一部が夫々形成される位置に設けられている。そのため、吸入圧領域３８と吐出圧領域４２とは接近した位置に形成される。従って、羽根部材３５がＡ方向に回転した場合において、第２吐出口４０の近傍で流動する洗浄水を吸入圧領域３８側へ速やかに誘導でき、第２吐出口４０から吐出されるのを抑制できる。
【００３７】
（３）ハウジング２９の周壁部２９ｂの内面に形成された溝部４４が連通路として機能するため、連通路（例えば管路等）を別途設けることによるポンプＰの組立て時における組立て工程の増加を阻止できる。また、部品点数の増加やポンプＰの構成の複雑化を抑制できると共に、ポンプＰをコンパクト化でき、食器洗い機１０のポンプ室１３の省スペース化を図ることができる。
【００３８】
（４）流体通路４３において溝部（連通路）４４を一部に含んで構成される通路部分４３ａは、第２吐出口４０へ羽根部材３５側から吸入圧領域３８の一部を通過して連絡するように設けられている。即ち、第２吐出口４０の近傍に形成される吐出圧領域４２の直近位置で吸入圧領域３８との連通構造を形成できる。従って、第２吐出口４０の近傍で流動する洗浄水が第２吐出口４０から吐出されるのを確実に抑制できる。
【００３９】
（５）羽根部材３５がＡ方向に回転した場合、当該羽根部材３５の回転方向と同一方向（Ａ方向）に流体通路４３を流動し第１吐出口３９側に導水ガイドされた洗浄水が、誘導規制部４５を越えて第２吐出口４０側に導水ガイドされることを防止できる。また、羽根部材３５がＢ方向に回転した場合、当該羽根部材３５の回転方向と同一方向（Ｂ方向）に流体通路４３を流動し第２吐出口４０側に導水ガイドされた洗浄水が、誘導規制部４５を越えて第１吐出口３９側に導水ガイドされることを防止できる。
【００４０】
（６）羽根部材（ポンプ用羽根部材）３５が一方（Ａ方向）側に回転した場合に回転方向に対して前面となる各羽根部４８の一方側面４９は、軸線Ｓから外方に向けて次第に他方（Ｂ方向）側に傾斜するように形成されている。そのため、羽根部材３５がＡ方向側に回転した場合、各羽根部４８は、回転に基づく遠心力を隣り合う各羽根部４８の間に介在する洗浄水に効率良く伝達することができる。また、羽根部材３５が他方（Ｂ方向）側に回転した場合に回転方向に対して前面となる各羽根部４８の他方側面５０のうち、基端側部位５０ａは軸線Ｓから外周側に向けて次第にＢ方向側に形成するように形成されており、先端側部位５０ｂは軸線Ｓから外周側に向けて放射状をなすように形成されている。そのため、羽根部材３５は、Ｂ方向側に回転した場合には比較例の羽根部材８０よりも、回転に基づく遠心力を隣り合う各羽根部４８の間に介在する洗浄水に効率良く伝達することができる。
【００４１】
なお、本実施形態は以下のような別の実施形態（別例）に変更してもよい。
・前記実施形態において、誘導規制部４５は、第１吐出口３９と第２吐出口４０との間での洗浄水の流動抑制を図れるものならば、前記実施形態に示すような周壁部２９ｂの壁厚を厚くする他に、周壁部２９ｂの内面にブロック体を取着する構成であってもよい。また、この誘導規制部４５は、必ずしもハウジング２９の周壁部２９ｂの内周面側に設けなくてもよい。
【００４２】
・前記実施形態において、連通路（溝部４４）は、図７に示すように、吸入圧領域３８と吐出圧領域４２とをハウジング２９の外部にて連絡させる管路９０であってもよい。
・前記実施形態において、吸入口３７Ａは、図８に示すように、貯留槽２３内に貯留されている洗浄水を軸線Ｓと直交する方向からハウジング２９Ａ内に吸水するように突出形成してもよい。この場合、吸入口３７近傍に形成される吸入圧領域３８Ａと第２吐出口４０近傍に形成される吐出圧領域４２とは、管路（連通路）９０Ａにより連通されるようになる。
【００４３】
・前記実施形態において、第１吐出口３９近傍に形成される吐出圧領域４１と吸入口３７近傍に形成される吸入圧領域３８との間を連通させる連通路（例えば溝部）を設けてもよい。このように構成した場合、羽根部材３５が回転すると前記連通路の中途には、吸入圧と吐出圧とが相殺されて圧力が生じない部分が形成される。そのため、羽根部材３５がＢ方向に回転した場合、ハウジング２９内の洗浄水は、積極的に第１吐出口３９近傍に導水ガイドされないため、当該第１吐出口３９からポンプＰの外部に吐水されないようになる。
【００４４】
・前記実施形態において、図９（ａ）に示すように、羽根部材３５Ａの各羽根部４８Ａは、その他方側面９１の先端側部位９１ｂが回転方向の一方（Ａ方向）側に傾斜するように形成してもよい。また、図９（ｂ）に示すように、羽根部材３５Ｂの各羽根部４８Ｂは、その他方側面９２の先端側部位９２ｂが基端側部位９２ａの回転方向の他方（Ｂ方向）側への傾斜と比して緩やかに傾斜するような構成であってもよい。
【００４５】
・前記実施形態において、図９（ｃ）に示すように、羽根部材３５Ｃにおける各羽根部４８Ｃの一方側面９３は、軸線Ｓから外周方向への中途までの平面状の基端側部位９３ａと当該中途から外周側までの平面状の先端側部位９３ｂから形成される構成であってもよい。
【００４６】
・前記実施形態では、ポンプＰは、食器洗い機用ポンプに具体化されているが、任意のポンプに具体化してもよい。この場合、ポンプ内に流入される流体は、水（洗浄水）以外の任意の液体（例えばアルコール等）や気体（例えば空気等）であってもよい。
【００４７】
次に、上記実施形態及び別例から把握できる技術的思想について以下に追記する。
（イ）前記ポンプハウジングには、流体が前記羽根部材の回転に基づき前記吸入口側から前記第１吐出口側又は前記第２吐出口側の何れか一方へ誘導された場合において、前記流体が前記第１吐出口と前記第２吐出口との間で流動することを規制するための誘導規制部が形成されている請求項１〜請求項４のうち何れか一項に記載のポンプ。
【００４８】
（ロ）回転軸線を中心に回転するハブ部を設け、当該ハブ部の外周面に複数の羽根部を設け、当該各羽根部が前記軸線側から外方側に延びるにつれ、前記各羽根部の回転方向の一方側面を次第に回転方向の他方側に傾斜するように形成する一方で、前記各羽根部の回転方向における他方側面のうち前記軸線側から中途までの基端側部位を次第に回転方向の他方側に傾斜するように形成し、前記中途から先端側までの先端側部位を前記中途近傍における前記基端側部位の傾斜と比して緩やかに傾斜又は回転方向の一方側に傾斜するように形成したポンプ用羽根部材。
【００４９】
（ハ）前記各一方側面は、曲面状をなしている前記技術的思想（ロ）に記載のポンプ用羽根部材。
（ニ）前記各他方側面の基端側部位は、曲面状をなしている前記技術的思想（ロ）又は前記技術的思想（ハ）に記載のポンプ用羽根部材。
【００５０】
（ホ）前記各他方側面の先端側部位は、前記軸線から放射状に延びるように形成されている前記技術的思想（ロ）〜（ニ）のうち何れか一項に記載のポンプ用羽根部材。
【図面の簡単な説明】
【００５１】
【図１】本実施形態における食器洗い機の概略縦断面図。
【図２】本実施形態におけるポンプの一部断面図。
【図３】（ａ），（ｂ）は共にポンプハウジングの平面図。
【図４】本実施形態におけるポンプを軸線方向から見た場合の一部断面図。
【図５】図４の５−５線矢視断面図。
【図６】（ａ）は本実施形態における羽根部材の平面図、（ｂ）は比較例の羽根部材の平面図。
【図７】別例のポンプ（ポンプハウジング）を示す断面図。
【図８】更に別例のポンプを示す断面図。
【図９】（ａ），（ｂ），（ｃ）は共に別例の羽根部材を示す平面図。
【符号の説明】
【００５２】
２９…ポンプハウジング（ハウジング）、３５，３５Ａ，３５Ｂ，３５Ｃ…羽根部材（ポンプ用羽根部材）、３７，３７Ａ…吸入口、３８，３８Ａ…吸入圧領域、３９…第１吐出口、４０…第２吐出口、４１…吐出圧領域、４２…吐出圧領域、４３…流体通路、４３ａ…通路部分、４４…溝部（連通路）、４５…誘導規制部、４７…ハブ部、４７ａ…外周面、４８，４８Ａ，４８Ｂ，４８Ｃ…羽根部、４９…一方側面、５０…他方側面、５０ａ…基端側部位、５０ｂ…先端側部位、８０…羽根部材（ポンプ用羽根部材）、８２…ハブ部、８２ａ…外周面、８３…羽根部、８４…一方側部位、８５…他方側部位、８５ａ…基端側部位、８５ｂ…先端側部位、９０，９０Ａ…管路（連通路）、９０，９１，９２…他方側面、９２ａ…基端側部位、９２ｂ…先端側部位、９３…一方側面、Ｐ…ポンプ、Ｓ…軸線（回転軸線）。
【図１】
2005307787.tif 000003
【図２】
2005307787.tif 000004
【図３】
2005307787.tif 000005
【図４】
2005307787.tif 000006
【図５】
2005307787.tif 000007
【図６】
2005307787.tif 000008
【図７】
2005307787.tif 000009
【図８】
2005307787.tif 000010
【図９】
2005307787.tif 000011